(57)【要約】【課題】包装工程での冷凍食品を袋につめて、真空冷凍した際の身のくっつきを防止し、また包装袋への挿入時やまた開封して、冷凍食品を取り出す時の取り扱いの容易さもあわせて満たし、かつ冷凍食品の流通時においても適切な冷凍温度を保持するということが不可能な場合には、包装袋に要求される仕様として、内容物である冷凍食品を傷めず、かつ取り扱いに優れ、さらにはコスト環境面まで配慮した包装形態が求められていた。これらを解決する包装袋を提供する。【解決手段】冷凍食品用包装袋においてその長手方向に間仕切るための仕切りシールを２以上の複数条設け、かつこのシールは始端部乃至は終端部の少なくとも一方が底シール部あるいは開口部封止シール部に連接することなく、相当の未シール部分の間隔を有することを特徴とする冷凍食品用間仕切り袋である。【選択図】図１
2007176502.tif 000002
【特許請求の範囲】
【請求項１】
一つの開口部を有する包装袋において、長手方向に複数条の間仕切りシール部を設け、かつ該シール部は始端部ないしは終端部の少なくとも一方が底シール部あるいは開口部封止シール部に連接することなく、相当の未シール部分を有することを特徴とする冷凍食品用間仕切り袋
【請求項２】
開口部封止シール部乃至は底シール部の少なくとも一方において、その形状をＬ字状シール部とし、側部延長部分において間仕切りシール部の未シール部分に位置するように開口ノッチを有することを特徴とする請求項１の冷凍食品用間仕切り袋
【請求項３】
三方シール乃至は四方シール包装袋において、側部シール部分において間仕切りシール部の未シール部分に位置するように開口ノッチを有することを特徴とする請求項１の冷凍食品用間仕切り袋
【発明の詳細な説明】
【技術分野】
【０００１】
本発明は、冷凍食品たとえば魚の切り身を複数一括して包装する際に好適に用いられる冷凍食品用間仕切り袋に関する。
【背景技術】
【０００２】
従来、複数の冷凍食品を収容する場合、単に大袋に入れるだけでは、流通過程で保冷温度が落ちた場合に、溶けた後、再度冷凍された時などによくみられる冷凍食品の身同士のくっつきや身崩れや皮のはがれ等の品質の劣化があった。また魚などを袋に詰めて真空冷凍する際に、魚同士のくっつきという問題などもあった。これらを解決するために、たとえば冷凍食品を１個ずつフィルムで包んだり、個包装する方法が提案されている。（たとえば特許文献１）また、冷凍食品１個ずつが収容可能なトレーを大袋に挿入することにより解決する方法が提案されている。（たとえば特許文献２）
【特許文献１】特開平１０−２５７８７２号公報
【特許文献２】特開平１０−２５７８７３号公報
【発明の開示】
【発明が解決しようとする課題】
【０００３】
前記のように冷凍食品の流通時には適切な冷凍温度を保持するというコールドチェーンが必ずしも完璧というわけにいかず、不測の事態等も発生していた。そのため、包装袋に要求される仕様として、内容物である冷凍食品を傷めず、かつ取り扱いに優れ、さらにはコスト環境面まで配慮した包装形態が求められていた。またさらには包装工程での冷凍食品の包装袋への挿入時やまた開封して、冷凍食品を取り出す時の取り扱いの容易さもあわせて求められていた。
【０００４】
特許文献１の冷凍食品を１個ずつフィルムで包んだり、個包装する方法では、資源の無駄はもちろんのこと、開封して内容物である冷凍食品を使用するには大袋を開けた後、さらに個包装を開封するといったように２度開封作業をする必要があり、非常に手間がかかっていた。
【０００５】
また、特許文献２においては、図３に示すように冷凍食品１１をトレー１３に個々に収容し、その上面をシールフィルムでシーリングしたトレー１３を包装袋１２に封入する方法である。この方法では、特許文献1の場合と同様に、包装袋１２を開封後、トレー１３のシーリングを開封する必要があった。またそのシーリングはたいていそのシール強度やつまみ部などの形状や構成により開けにくい場合が多く、使用しづらいものであった。
【０００６】
そこで内容物である冷凍食品を包装しやすく、かつ開封時には取り出しやすく、さらには流通時の冷凍食品の品質劣化を防止することが可能でかつ加工が容易でコストがかからない包装方法が求められていた。
【０００７】
よって上記を満たし、収容時に楽に個別に配置でき、開封も楽に行えて、内容物を崩さずに、簡単に取り出すことが出来る冷凍食品用間仕切り袋を提案する。
【０００８】
すなわち本発明は、温度の変化により品質の劣化を招きやすい冷凍食品に適して、包装作業が容易で、内容物の損傷を招きにくく、かつコスト面でも優れた冷凍食品用間仕切り袋である。
【課題を解決するための手段】
【０００９】
本発明は前述した課題を解決するために、冷凍食品用包装袋においてその長手方向に間仕切るための間仕切りシールを２以上の複数条設け、かつこのシールは始端部乃至は終端部の少なくとも一方が底シール部乃至は開口部封止シールに連接することなく、相当の未シール部分を有することを特徴とする冷凍食品用間仕切り袋である。
【００１０】
また、間仕切りシールはその冷凍食品の形状や大きさに合わせて、その長さや間隔および本数が決定される。開口部側に設ける間仕切りシールの未シール部分は冷凍食品をひとつずつ間仕切られた室に入れる際に挿入しやすいように作業の自由度を有することの出来るように構成されている。
【００１１】
この間仕切りシール部の開口部からの未シール部の寸法については内容物となる冷凍食品の寸法に応じて決定される。たとえば、長さの長い冷凍食品の場合、ある程度未シール部は長い目に取っておくと、冷凍食品の封入時をはじめ、その取り扱いが容易となる。たとえば、間仕切りシール部の長さを袋の長さの半分にして、入り口を広くすることにより、間仕切りシールがあっても冷凍食品を詰めやすくする。
【発明の効果】
【００１２】
本発明によると魚の切り身などの冷凍食品を本発明の冷凍食品用間仕切り袋に封入する際に、開口部から間仕切りシールを設けられた位置までの未シール部分が相当の自由度を有する空間を形成している。
【００１３】
このため魚の切り身などの冷凍食品を本間仕切り袋を利用して包装するとき、間仕切りシールが開口部近傍付近までに設けていないため、容易にその間仕切られた空間に1つずつを挿入することが出来る。
【００１４】
その結果、冷凍食品は一つずつ独立した間仕切り空間に包装されることとなり、解けたときの身のくっつきや身崩れの防止、さらには魚の切り身などの場合の皮のはがれ防止につながる。また再凍結したときの連結凍結や身の回りの霜の付着抑制にも効果を発揮する。
【００１５】
また、間仕切りシールが未シール部を有し、各室を完全に仕切っている構成でないために、包装された冷凍食品が温度の上昇により解凍されて生じる液が狭い室に溜まることがないために冷凍食品を再冷凍時を含め、いためる事が少なくなる。
【００１６】
本発明の冷凍食品用間仕切り袋はトレーの使用や二重包装とならないためにコスト面や環境面でも非常に有利である。
【発明を実施するための最良の形態】
【００１７】
本発明は前述した課題を解決するために、冷凍食品用包装袋においてその長手方向に間仕切るための間仕切りシールを２以上の複数条設け、かつこのシールは始端部乃至は終端部の少なくとも一方が底のシールあるいは開口部封止シール部に連接することなく、相当の未シール部分の間隔を有することを特徴とする冷凍食品用間仕切り袋である。
【実施例１】
【００１８】
以下、本発明の実施の形態を添付図面に基づいて説明する。
【００１９】
図１は本発明の一実施例である冷凍食品用間仕切り袋を示した斜視図である。１は包装袋、２はシール部、３は開口部、４は間仕切りシール部、５は仕切り室である。
【００２０】
本冷凍食品用間仕切り袋１を利用するには開口部３より、冷凍食品を投入する。そのとき冷凍食品は間仕切りシール部４により１つずつ各仕切り室５に配置するように投入する。間仕切りシール部４は開口部３の端面より連続しているのではなく、一定の未シール部分を有する構成となっている。
【００２１】
間仕切りシール部４における未シール部分の寸法は包装する冷凍食品の大きさに依存する。すなわち長尺の冷凍食品の場合には長く、小さな冷凍食品の場合には短くとる必要がある。
【実施例２】
【００２２】
図２は本発明の実施例２である冷凍食品用間仕切り袋の変形事例の使用状態を示した斜視図である。１は包装袋、２はシール部、４は間仕切りシール部、５は仕切り室、６は開口ノッチ部、７は冷凍食品である。
【００２３】
図１に示したような包装袋に加えて、開口部封止シール部乃至は底シール部２の少なくとも一方において、その形状をＬ字状シール部とし、側部延長部分には間仕切りシール部４の未シール部分に位置するように開口ノッチ６を有することを特徴とする請求項１の冷凍食品用間仕切り袋
【００２４】
図１に示したような方法により冷凍食品は冷凍食品用間仕切り袋に各仕切り室にひとつずつ収容されて包装されている。
【００２５】
本包装袋１を開封するにはＬ字状のシール部２の側部延長部分に設けられた開口ノッチ６から包装袋１を開封する。この位置で開口すると、間仕切りシール部４により各仕切り室５にひとつずつ収容されていた冷凍食品を必要な量だけ取り出して、残りを各仕切り室に収容されていたままで保存することが容易となる。
【実施例３】
【００２６】
図３は本発明の実施例３である冷凍食品用間仕切り袋の変形事例の使用状態を示した斜視図である。１は包装袋、２はシール部、２ａは側部シール部、４は間仕切りシール部、５は仕切り室、６は開口ノッチ部、７は冷凍食品である。
【００２７】
この実施例３は四方シールの場合を示したもので、側部シール部２ａに間仕切りシール部４の未シール部分に位置するように開口ノッチ部６を設けたものである。包装袋は三方シールの場合であっても同様の構成となる。
【００２８】
本包装袋１を開封するには側部シール部２ａに設けられた開口ノッチ６から包装袋１を開封する。この位置で開口すると、間仕切りシール部４により各仕切り室５にひとつずつ収容されていた冷凍食品を必要な量だけ取り出して、残りを各仕切り室に収容されていたままで保存することが容易となる。
【産業上の利用可能性】
【００２９】
本発明は傷みやすい冷凍食品を包装する場合に好適に用いることが出来る包装袋であって、温度変化の発生する流通時や保存時にも内容物の冷凍食品が傷みにくく、また開封時には、必要な量を取り出して、残りを容易に保存でき、かつ構成が非常に簡単である特徴を有する。
【図面の簡単な説明】
【００３０】
【図１】本発明の一実施例である冷凍食品用間仕切り袋を示した斜視図である。
【図２】本発明の実施例２である冷凍食品用間仕切り袋の変形事例を示した斜視図である。
【図３】本発明の実施例３である冷凍食品用間仕切り袋の変形事例を示した斜視図である。
【図４】従来例を示した斜視図である。
【符号の説明】
【００３１】
１    包装袋
２    シール部
２ａ  側部シール部
３    開口部
４    間仕切りシール部
５    仕切り室
６    開口ノッチ部
７    冷凍食品
【図１】
2007176502.tif 000003
【図２】
2007176502.tif 000004
【図３】
2007176502.tif 000005
【図４】
2007176502.tif 000006